(57)【要約】【課題】アンテナ仰角設定部をアンテナ取付け具全体に分散配置することで、外力に強いＵＨＦ多素子アンテナの仰角設定取付け装置を実現すること。【解決手段】支柱１に取着する四角い強靱な縦枠２の四隅付近にＵＨＦ多素子アンテナＡを一本ずつ取付け、この縦枠２の左右各辺２Ａに、ほぼ「く」字状の強靱な上スティ３の左右先端部３Ａを取着すると共に、この上スティ３の枢着部３Ｂを支柱１に強固に枢着固定する一方、前記縦枠２の下辺２Ｂの左右に通した締着バンド４を下スティ５の上部５Ａに取着し、これら下スティ５の下端部５Ｂをそれぞれ支柱１に上下動可能に固定した締付けバンド７に取着し、これら各取着部分を緩めた仮取着状態で前記縦枠２を前記各アンテナＡと共に前記上スティ枢着部３Ｂを支点として高所の電波発射源に向け傾動しアンテナ仰角設定後、緩めた上記各取着部分を締着することで、上記設定済仰角を固定可能とした。【選択図】      図１
2005033357.tif 000002
【特許請求の範囲】
【請求項１】
ほぼ鉛直に立設した支柱１に四本のＵＨＦ多素子アンテナＡを高所の電波発射源に向けて取付けるに当たり、四角い強靱な縦枠２の四隅付近に前記各アンテナＡを一本ずつ取付け、この縦枠２の左右各辺２Ａに、ほぼ「く」字状の強靱な上スティ３の左右各先端部３Ａを取着し、この上スティ３の枢着部３Ｂを支柱１に起伏可能に枢着固定して取着する一方、前記縦枠２の下辺２Ｂに通した締着バンド４を強靱な下スティ５の上部５Ａに取着し、この下スティ５の下端部５Ｂを支柱１に上下動可能に固定した締付けバンド７に取着することで、ＵＨＦ多素子アンテナの支柱取付け装置を構成し、前記各取着部分を緩めた仮取着状態で前記縦枠２を前記各アンテナＡと共に前記上スティ枢着部３Ｂを支点として前記高所の電波発射源に向け傾動後、前記緩めた各取着部分を締着することで、前記四本のＵＨＦ多素子アンテナＡを高所の電波発射源に向け仰角設定後固定可能となしたＵＨＦ多素子アンテナの仰角設定取付け装置。
【請求項２】
ほぼ鉛直に立設した強靱な支柱１にスタック接続した四本のＵＨＦ多素子アンテナＡを高所の電波発射源に向けて取付けるに当たり、ほぼ正方形輪郭の強靱な縦枠２の四隅付近にそれぞれ前記各アンテナＡを同一方向に向けて一本ずつ取付け、前記縦枠２の左右各辺２Ａの各中間部分に、ほぼ「く」字状の強靱な上スティ３の左右各先端部３Ａを取着し、この上スティ３の枢着部３Ｂを前記支柱１の上部外周面に取着した強靱な当て板１ＡにＵ字ボルトＵと締付けナットＮとで起伏可能に枢着固定する一方、前記縦枠２の下辺２Ｂの左右に通した二つの締着バンド４にそれぞれ縦枠下辺２Ｂを支える二本の強靱な下スティ５の上部５Ａを連結し、これら下スティ５の下端部５Ｂを前記支柱１の下部に締付けボルト６で固定した締付けバンド７にボルトＢとナットＮとで平面ほぼＶ字状に取着することで、ＵＨＦ多素子アンテナの支柱取付け装置を構成し、前記各ナット類と前記二つのバンド４・７を緩めた仮取着状態で前記締付けバンド７を下スティ５と共に支柱１に対して上下に移動させることで、前記縦枠２を前記各アンテナＡと共に前記上スティ枢着部３Ｂを支点として傾動させ、前記各アンテナＡを前記高所の電波発射源に向けて仰角設定した後、前記緩めたナット類と二つのバンド類とをそれぞれきつく締着することで、各アンテナＡの前記仰角設定状態を固定可能となしたＵＨＦ多素子アンテナの仰角設定取付け装置。
【請求項３】
前記四本のＵＨＦ多素子アンテナＡをそれぞれ前記支柱１の立設側に向けて縦枠２の四隅付近に突設固定することで、支柱１を前記四本のアンテナＡの中間空所内に配置し、これら四本のＵＨＦ多素子アンテナを含めた取付け装置全体としての重心を支柱１の上部付近に集中させたことを特徴とする請求項１または請求項２に記載のＵＨＦ多素子アンテナの仰角設定取付け装置。
【請求項４】
前記当て板１Ａを支柱１の上部外周面にＵ字ボルトＵとナットＮとで取着することで、支柱１に対する上記当て板１Ａの取着方向を変更可能となし、支柱１の後側に取着した当て板１Ａに前記上スティ枢着部３ＢをＵ字ボルトＵと締付けナットＮとで起伏可能に枢着し、前記上スティ３を見掛け上短くすることで、前記縦枠２の仰角を可及的に大きく設定可能になした請求項２または請求項３に記載のＵＨＦ多素子アンテナの仰角設定取付け装置。
【請求項５】
前記縦枠２の左右各辺２Ａに上スティ３の左右各先端部３Ａを取着するに当たり、前記上スティ３の左右各先端部３Ａを斜めに切除した縦枠取着部３Ｃを形成し、この縦枠取着部３ＣをＵ字ボルトＵとナットＮとで縦枠２の左右各辺２Ａに取着してなる請求項１から請求項４までのいずれか一つの請求項に記載したＵＨＦ多素子アンテナの仰角設定取付け装置。
【発明の詳細な説明】
【０００１】
【発明の属する技術分野】
本発明は、電波共聴設備受信用アンテナなどの四本のＵＨＦ多素子アンテナを地上波デジタルテレビ放送用アンテナなど高所の電波発射源に精確に向けて設置する際に好適なＵＨＦ多素子アンテナの仰角設定取付け装置に関する。
【０００２】
【従来の技術】
アンテナの仰角を設定して支柱やベランダに取付ける装置としては従来、特開平７−２２６６２１号公報・特開２００１−２９８３１０号公報および，特開２００３−４６３１０号公報に記載のものが周知であるが、これらの従来例は、いずれも放送衛星や通信衛星からの電波を受信するためのパラボラアンテナを仰角設定して支柱やベランダに取付けるためのアンテナ取付け装置である。
【０００３】
【発明が解決しようとする課題】
上記従来例は、パラボラアンテナの仰角設定取付け装置であり、複数のアンテナ取付け具における板状部同士の接面部分を角度変更可能にねじ止めしてパラボラアンテナの受信反射面を上記放送衛星や通信衛星に向くように仰角設定するものであり、具体的には上記各アンテナ取付け装置の板状部同士を接面し、一方の板状部に形成した長孔の縁辺を他方の板状部にねじ止めすることで、パラボラアンテナの仰角を固定するものだから、この仰角固定部分の強度が接面方向の外力に対し弱くて動き易い上に、アンテナ仰角設定部分が取付け装置の板状部に局所集中しているため、テコの原理に基づき長尺物支持に対して弱く、四本のＵＨＦ多素子アンテナの仰角設定取付け装置としては強度不足のため採用できない。
【０００４】
すなわち、地上波テレビ放送電波の影となる地域には、現在、山上サテライト局の中継アンテナから周波数変換したＵＨＦ帯域の中継電波を発射することで、良質な受信状態を得ているが、地上波テレビ放送電波の影となる地域は一般に豪雪地帯が多く、冬場になるとＵＨＦ多素子アンテナへの着雪量も多くなり、四本の多素子アンテナ全体の荷重としては、２０キログラム以上の大重量となる場合も有るし、四本のＵＨＦ多素子アンテナは、季節を通して強風時には一つのパラボラアンテナよりも揺動し易いため、これら四本の多素子アンテナを前記従来例のものに無理に搭載した場合、上記大きなアンテナ荷重や強風で揺動する四本のアンテナからの無理な外力が、それぞれ従来取付け装置の板状部や局部集中したアンテナ仰角固定部分に、テコの原理により継続的に繰り返し強く加わるため、上記板状部が繰り返し撓んだり、上記アンテナ仰角固定接面ねじ止め部分が互いにずれ動いたりして受信状態が極めて不安定となると共に、ＵＨＦ多素子アンテナの仰角やアンテナ水平向きが大きく変化して受信障害が生じたり、時には、アンテナ仰角固定部分や取付け金具全体が破損してＵＨＦ多素子アンテナが倒れてしまい使い物にならなくなるという本質的かつ、大きな問題点が有る。
【０００５】
これら従来例のほかに、水平・垂直スタック接続した四本のＵＨＦ多素子アンテナをほぼ鉛直に立設した支柱に対し、同方向に向けてＶＨＦアンテナと共に水平に取付ける手段も従来周知であるが、この従来例では、この種多素子アンテナの垂直指向性が水平指向性よりも大幅にブロードであるとして、ＵＨＦ多素子アンテナを水平方向に固定したまま使用しているから、ＵＨＦ多素子送信アンテナを山上に設置した双方向送受信可能な地上波デジタルテレビ放送中継アンテナなど高所の電波発射源に精確に向けて設置できないという、これまた本質的かつ、大きな問題点が有る。
したがって、前記したすべての従来例では、極く近い将来我国で始まる双方向送受信可能な地上波デジタルテレビ放送電波など高所から到来する極超短波領域の放送電波を扱うためのＵＨＦ多素子アンテナの仰角設定取付け装置として全く対処できないという本質的かつ、大きな問題点が有る。
【０００６】
この発明は、高所から到来する極超短波領域の地上波デジタルテレビ放送電波を少しでも良く受信するために、ＵＨＦ多素子アンテナを高所の電波発射源に精確に向け仰角設定可能にすると共に、この仰角設定部分を丸パイプなどで強固に作ったアンテナ取付け具全体に分散配置することで、外力に強いＵＨＦ多素子アンテナの仰角設定取付け装置を安価に多量製造可能とすることを目的とする。
【０００７】
【課題を解決するための手段】
上記した本発明の目的は、ほぼ鉛直に立設した支柱に四本のＵＨＦ多素子アンテナを高所の電波発射源に向けて取付けるに当たり、四角い強靱な縦枠の四隅付近に前記各アンテナを一本ずつ取付け、この縦枠の左右各辺に、ほぼ「く」字状の強靱な上スティの左右各先端部を取着し、上スティの枢着部を支柱に起伏可能に枢着する一方、前記縦枠の下辺に通した締着バンドを下スティの上部に取着し、下スティの下端部を前記支柱に上下動可能に固定した締付けバンドに取着することで、ＵＨＦ多素子アンテナの支柱取付け具を構成し、前記各取着部分を緩めた仮取着状態で前記縦枠を前記各アンテナと共に前記上スティ枢着部を支点として前記下スティや締付けバンドと共に上動させつつ前記高所の電波発射源に向け傾動後、前記緩めた各取着部分を締着することで、前記四本のＵＨＦ多素子アンテナを高所の電波発射源に向け仰角設定後固定可能としたことで達成できた。
【０００８】
【発明の実施の形態】
本発明の実施の形態のうち、先ず、本発明の基本的な形態例を説明する。
本発明の基本的な形態は、図１のようにビルの屋上などにほぼ鉛直に立設した強靱で太い丸パイプ材で作った支柱１に導波器と反射器を有するダイポールアンテナなどの四本のＵＨＦ多素子アンテナＡを水平・垂直スタック接続して高所の電波発射源に向けて取付けるに当たり、本発明では、強靱な丸パイプ材を一体的にほぼ正方形輪郭に折り曲げ成形した縦枠２の四隅付近にそれぞれ前記四本のアンテナＡを各基部ａで図２のように同一方向に向け一本ずつ強固に固定し突設する一方、強靱な丸パイプ材をほぼ「く」字状に折り曲げ成形した上スティ３の左右各先端部３Ａを図３のように長さ方向斜めに切除して縦枠取着部３Ｃを形成し、この縦枠取着部３Ｃを前記縦枠２の左右各辺２Ａの各中間部分にＵ字ボルトＵとナットＮとで図１・図３のように強固に取着し、かつ前記支柱１の上部外周面に図４のようにＵ字ボルトＵとナットＮとで取着した強靱で分厚い当て板１Ａに前記上スティ枢着部３Ｂを図１および図４のようにＵ字ボルトＵと締付けナットＮとで起伏傾動可能に強固に取着する。
【０００９】
一方、前記縦枠２の下辺２Ｂの左右に図５のように通した二つの締着バンド４の張出し対向辺４Ａ間にそれぞれ縦枠下辺２Ｂを支えるための強靱な丸パイプ製の二本の下スティ５の上部５Ａを偏平に潰して挿入し、同図５のようにボルトＢとナットＮとでねじ止めすると共に上記締着バンド４を締着し、下スティ５の下端部５Ｂも偏平に潰して前記支柱１の下部に図６のように締付けボルト６で上下動可能に強固に固定したヒンジ付きの強靱な締付けバンド７のリング状膨出部７ＡにボルトＢとナットＮとで図２・図６のように平面ほぼＶ字状に取着することで、本発明によるＵＨＦ多素子アンテナの仰角設定取付け装置を構成する。
【００１０】
ただし、前記ＵＨＦ多素子アンテナＡは、その長さ方向の中間部分で縦枠２の四隅付近に周知手段で取着してもよく、その素子数が少なくて済む場合には、一本の下スティ５だけで縦枠下辺２Ｂの中央を支えるようにしてもよく、また上スティ枢着部３Ｂは、前記支柱１の上端に形成した枢着孔などの枢着部に抜け止めと回転止めとを施こして強固に枢着固定してもよく、さらに前記下スティ５の上部５Ａは偏平に潰さず前記筒体４にねじ止めなどで強固に取着してもよい。
なお図１および図２における符号Ｃで示す部分は、同軸ケーブルである。
【００１１】
本発明の構成は以上のようなもので、以下その使用例につき説明する。
先ず、前記各ナット類と二つのバンド４・７をそれぞれ緩めて各取着部分を仮取着状態とした後、前記締付けバンド７を支柱１に対して図２の下位置から図１のように上動させることで、前記縦枠２を前記各アンテナＡと共に前記上スティ枢着部３Ｂを支点として図２の水平位置から図１のように上向き斜めに傾動できるから、これら四本のアンテナＡに前記同軸ケーブルＣや周知の混合器により水平・垂直スタック接続したテレビの映り具合が最良になるように確認しながら、各アンテナＡを高所の電波発射源に向け精確に仰角設定することができ、このアンテナ仰角を上記テレビの映り具合を確認しながら保持した状態で、前記緩めたナット類と二つのバンド４・７とをそれぞれきつく締着することで、前記各取着部分を強固に取着固定して前記高所の電波発射源に精確に向けた前記各アンテナＡの設定仰角を図１のように強固かつ、安定に固定できた。
【００１２】
【実施例】
なお、前記当て板１Ａを支柱１の上部外周面にＵ字ボルトＵとナットＮとで前記のように取着することで、支柱１に対する上記当て板１Ａの取着方向を変更可能となし、支柱１の後側に図７のように取着した当て板１Ａに前記上スティ枢着部３ＢをＵ字ボルトＵと締付けナットＮとで起伏可能に枢着することで、前記上スティ３を見掛け上短くし、前記各アンテナＡの仰角を図１の状態よりも図７のように可及的に大きく設定可能にしてもよく、また前記四本のＵＨＦ多素子アンテナＡをそれぞれ図８のように前記支柱１の立設側に向けて縦枠２の四隅付近に突設固定することで、支柱１を前記四本のアンテナＡの中間空所内に配置でき、これら四本のＵＨＦ多素子アンテナを含めた取付け装置全体としての重心を支柱１の上部付近に集中させることで、全体的な重量バランスを均等化できた。
ただし、図８における符号ＡＳで示すものは、アンテナスティである。
【００１３】
【発明の効果】
本発明は、以上のような形態を採用したので、以下に記載の効果を奏する。
この発明における請求項１の発明によれば、ほぼ鉛直に立設した支柱１に四本のＵＨＦ多素子アンテナＡを高所の電波発射源に向けて取付けるに当たり、四角い強靱な縦枠２の四隅付近に前記各アンテナＡを一本ずつ取付け、この縦枠２の左右各辺２Ａに、ほぼ「く」字状の強靱な上スティ３の左右各先端部３Ａを取着すると共に、この上スティ３の枢着部３Ｂを支柱１に起伏可能に枢着する一方、前記縦枠２の下辺２Ｂに通した締着バンド４を強靱な下スティ５の上部５Ａに取着し、この下スティ５の下端部５Ｂを支柱１に固定した締付けバンド７に取着してＵＨＦ多素子アンテナの支柱取付け装置を構成したので、前記各取着部分を取付け装置全体に大きく分散配置できたので、強いテコ応力にも対抗させ得た。
【００１４】
したがって、本発明によれば、肝心のアンテナ仰角を設定するに当たり、前記各取着部分を緩めた仮取着状態で前記縦枠２を上スティ枢着部３Ｂを支点として前記下スティ５と締付けバンド７とを動かしながら前記高所の電波発射源に向けＵＨＦ多素子アンテナＡを傾動してその仰角を容易かつ、精確に設定することができ、この仰角設定後、前記緩めた各取着部分を締着することで、前記四本のＵＨＦ多素子アンテナＡを高所の電波発射源に精確に向けた状態で仰角固定でき、この仰角固定状態は、前記互いに大きく分散配置したテコ応力にも強い上記各取着部分で極めて安定に長期間維持できたという優れた効果が有る。
【００１５】
この発明における請求項２の発明によれば、前記諸効果に加えて、前記上スティ枢着部３Ｂを前記支柱１の上部外周面に取着した強靱な当て板１ＡにＵ字ボルトＵと締付けナットＮとで起伏可能に枢着する一方、前記縦枠２の下辺２Ｂの左右に挿通した締着バンド４の各二つの張出し対向辺４Ａ間にそれぞれ縦枠下辺２Ｂを支える二本の強靱な下スティ５の上部５Ａを連結し、各下スティ５の下端部５Ｂを前記支柱１の下部に締付けボルト６で固定した締付けバンド７にボルトＢとナットＮとで平面ほぼＶ字状に取着してＵＨＦ多素子アンテナの仰角設定取付け装置を構成したので、前記二本の強靱な下スティ５と縦枠下辺２Ｂとの連結状態を幾何学的に外力変形しない三角形状に取着固定でき、より一層強固かつ、安定にＵＨＦ多素子アンテナの設定仰角を固定できるという効果を付加できた。
【００１６】
この発明における請求項３の発明では、前記諸効果に加えて、前記四本の各アンテナＡをそれぞれ前記支柱１の立設側に向けて縦枠２の四隅付近に突設固定して支柱１を前記四本のアンテナＡの中間空所内に配置することで、これら各アンテナＡを含めた取付け装置全体としての重心を支柱１の上部付近に集中でき、各アンテナを含めた取付け具全体の重量バランスを保持できるから、ＵＨＦ多素子アンテナＡの仰角固定状態を一層安定に確保できるという効果を付加できた。
【００１７】
この発明における請求項４の発明では、前記諸効果に加えて、前記当て板１Ａを支柱１の上部外周面にＵ字ボルトＵとナットＮとで取着することで、支柱１に対する上記当て板１Ａの取着方向を変更可能となし、支柱１の後側に取着した当て板１Ａに前記上スティ枢着部３ＢをＵ字ボルトＵと締付けナットＮとで起伏可能に枢着し、前記上スティ３を見掛け上短くすることができ、前記縦枠２の仰角を可及的に大きく設定できるという効果を付加できた。
【００１８】
この発明における請求項５の発明では、前記諸効果に加えて、前記縦枠２の左右各辺２Ａに上スティ３の左右各先端部３Ａを取着するに当たり、前記上スティ３の左右各先端部３Ａを斜めに切除した縦枠取着部３Ｃを形成し、この縦枠取着部３ＣをＵ字ボルトＵとナットＮとで縦枠２の左右各辺２Ａに取着したので、上記縦枠取着部３Ｃにおける細長い切除端面が縦枠左右各辺２Ａに強固に密着した状態で取着でき、丸パイプ同士の単なる線接触ねじ止め取着に比べ、外力に対するメカ的強度を大幅に増強できるという効果を付加できた。
【図面の簡単な説明】
【図１】本発明の実施形態例を示す斜視図
【図２】図１に示すものと状態を異にした斜視図
【図３】本発明における上スティの取着例を示す拡大平面図
【図４】本発明における上スティの取着例を示す拡大平面図
【図５】本発明における下スティ上部の取着例を示す拡大側面図
【図６】本発明における下スティ下部の取着例を示す拡大斜視図
【図７】本発明の別の実施形態例を示す側面図
【図８】本発明のさらに別の実施形態例を示す側面図
【符号の説明】
Ａ    ＵＨＦ多素子アンテナ
１    支柱
１Ａ  当て板
２    縦枠
２Ａ  縦枠の左右各辺
２Ｂ  縦枠の下辺
３    上スティ
３Ａ  上スティの左右各先端部
３Ｂ  上スティの枢着部
３Ｃ  縦枠取着部
４    締着バンド
４Ａ  締着バンドの張出し対向辺
５    下スティ
５Ａ  下スティの上部
５Ｂ  下スティの下端部
６    締付けボルト
７    締付けバンド
Ｂ    ボルト
Ｎ    ナット
Ｕ    Ｕ字ボルト
【図１】
2005033357.tif 000003
【図２】
2005033357.tif 000004
【図３】
2005033357.tif 000005
【図４】
2005033357.tif 000006
【図５】
2005033357.tif 000007
【図６】
2005033357.tif 000008
【図７】
2005033357.tif 000009
【図８】
2005033357.tif 000010